(57)【要約】【課題】低温の冷凍コマセブロックであっても、従来よりも砕きやすく、コマセの原形をより多数留めることができ、解凍をより早く行える冷凍コマセブロックを提供することを課題とする。【解決手段】冷凍コマセブロックの表面に複数の穴または溝を形成して表面積を大きくした。この穴は、ブロックの底面から上向きに複数が平行に設けられている。この場合には、冷凍を行う型容器は、容器の内部底面に上向きの棒が複数本並行に設けられている。また、溝は、ブロックの側面に上向きに複数が並行に設けられている。この場合には、冷凍を行う型容器の内部側面に上向きの板材が複数本並行に設けられている。これにより、表面積を大きくとり解凍のスピードアップを行う。【選択図】図１
2006333775.tif 000002
【特許請求の範囲】
【請求項１】
集魚に用いるコマセを冷凍したブロックであって、表面に複数の穴または溝を形成して表面積を大きくしたことを特徴とする冷凍コマセブロック。
【請求項２】
前記穴は、ブロックの底面から上向きに複数が並行に設けられていることを特徴とする請求項１に記載の冷凍コマセブロック。
【請求項３】
前記溝は、ブロックの側面に上向きに複数が並行に設けられていることを特徴とする請求項１に記載の冷凍コマセブロック。
【請求項４】
請求項２に記載の冷凍コマセブロックを製造するため、前記コマセを入れて前記冷凍を行う型容器であって、容器の内部底面に上向きの棒が複数本並行に設けられていることを特徴とする冷凍コマセブロック用の型容器。
【請求項５】
請求項３に記載の冷凍コマセブロックを製造するため、前記コマセを入れて前記冷凍を行う型容器であって、容器の内部側面に上向きの板材が複数本並行に設けられていることを特徴とする冷凍コマセブロック用の型容器。
【発明の詳細な説明】
【技術分野】
【０００１】
この発明は、釣り等の集魚に用いる冷凍コマセブロックの形状に関する。
従来の海釣り等の集魚に用いるアミエビやオキアミのコマセを冷凍した冷凍コマセブロック１０１は、冷凍コマセの大きな原版ブロックを、小さな複数のブロックに裁断した図２に示す様な直方体のものが一般的である。
【０００２】
使用にあたって解凍するには
（１）釣り場で自然解凍を待つか、
（２）硬い冷凍コマセブロック１０１をナイフやハンマーを用いて細かく砕き、解凍を早めるか、
（３）図３に示すようにバケツ１０３などに海水１０５を汲んでその中に冷凍コマセブロック１０１を入れて解凍するか、
（４）釣具店に前もって解凍を依頼しておくか、
（５）釣具店などに設置されている解凍ブロック破砕機を利用して細かく砕き、解凍を早めるか、
（６）包装袋に入れたままの冷凍コマセブロックをスカリに入れ海中に浮かせ解凍するか、等々である。
【０００３】
従来技術ではこの様な形態で冷凍コマセブロックの破砕や解凍が行われることが多い。  なお、最近は冷凍コマセブロックではないが「スライスコマセ」や「クラッシャーコマセ」という冷凍コマセブロックをスライスなどして砕き、解けやすく他の集魚材と混ぜやすくしたものも販売されている。
【０００４】
また、釣り船を利用しての釣りに於いてはコマセを船頭が前もって解凍し、用意しておく事が多い。
先行する文献として、下記の特許文献１には、冷凍ブロックを粉砕する機械が開示される。
【特許文献１】実開平６−５２９３５
【０００５】
また、下記の特許文献２には、冷凍ブロックの温度を調整して解凍を容易にする技術が開示される。
【特許文献２】特開平１０−１７８９９９
【発明の開示】
【発明が解決しようとする課題】
【０００６】
しかしながら、以上の（１）（２）（３）（６）によれば、冷凍ブロックゆえに破砕や解凍に労力や時間を要する。（４）によれば、急な釣行の場合や釣行日が確定しにくい時には釣具店の解凍予約もできず、不便である。また、（５）によれば、解凍ブロック破砕機の利用も釣具店次第であり、利用できないこともある。
【０００７】
さらに、冷凍コマセブロックをスライスして砕いたスライスコマセやクラッシャーコマセは、細かく砕かれているためオキアミ等の原形を留めていないものが多く、原形の状態のまま使いたい場合には、冷凍コマセブロックや冷凍ブロックを適度の大きさに砕いた塊から（１）（２）（３）（６）による解凍が必要になり、やはり労力や時間を要する。
【０００８】
また、冷凍ブロックの温度を調整して解凍を容易にするには、その調整に労力や時間を要することとなる。
そこで、この発明は、低温の冷凍コマセブロックであっても、従来よりも砕きやすく、コマセの原形をより多数留めることができ、解凍をより早く行える冷凍コマセブロックを提供することを課題とする。
【課題を解決するための手段】
【０００９】
以上の課題を解決するために、第一発明は、集魚に用いるコマセを冷凍したブロックであって、表面に複数の穴または溝を形成して表面積を大きくしたことを特徴とする冷凍コマセブロックである。
第二発明は、前記穴は、ブロックの底面から上向きに複数が並行に設けられていることを特徴とする冷凍コマセブロックである。
第三発明は、前記溝は、ブロックの側面に上向きに複数が並行に設けられていることを特徴とする冷凍コマセブロックである。
第四発明は、第二発明の冷凍コマセブロックを製造するため、前記コマセを入れて前記冷凍を行う型容器であって、容器の内部底面に上向きの棒が複数本並行に設けられていることを特徴とする冷凍コマセブロック用の型容器である。
第五発明は、第三発明の冷凍コマセブロックを製造するため、前記コマセを入れて前記冷凍を行う型容器であって、容器の内部側面に上向きの板材が複数本並行に設けられていることを特徴とする冷凍コマセブロック用の型容器である。
【発明の効果】
【００１０】
第一発明によれば、表面に形成された複数の穴または溝により表面積を大きくできるので、解凍をより早く行える。また、穴または溝の存在により、砕きやすく、砕いた後は更に表面積を大きくでき、解凍を更に早く行える。
第二発明、または第四発明によれば、穴はブロックの底面から上向きに複数が平行に設けられていることから、冷凍を行う型容器からの型抜きが容易に行え、製造コストを安価にできる。
第三発明、または第五発明によれば、溝はブロックの側面に上向きに複数が並行に設けられていることから、冷凍を行う型容器からの型抜きが容易に行え、製造コストを安価にできる。
【発明を実施するための最良の形態】
【００１１】
この発明の一実施形態を、図１、及び図４〜図１0に示す。
図１は、集魚に用いるコマセを冷凍した直方体形状のブロック１であって、直方体の上表面３及び下表面５に貫通する複数の丸い穴７を形成して表面積を大きくしたブロックである。
この穴７の形成は、図４に示す型容器９を用いる。すなわち、冷凍コマセブロック１を製造するため、コマセを入れて前記冷凍を行う型容器９であって、容器９の内部底面に上向きの棒１１が複数本並行に設けられている。図４に示す型容器９はブロック１個用の小さなものであるが、図５に示すような大きな原版用型容器１３を設けることもできる。すなわち、原版冷凍コマセブロック製造時に原版用型容器１３を用いて原版冷凍ブロックに穴を複数設けることができる。原版冷凍ブロックは分割線１５で需要に応じた大きさに裁断され冷凍ブロックになる。
【００１２】
このようにして穴７が形成させる冷凍コマセブロック１の体積(重量)の減少は、１０％以下を考慮した。釣り人は釣行時にコマセの使用量を重量（Kg単位）で把握している事が多く、同重量のコマセが必要になる場合、破砕や解凍がし易くなってもあまりにかさ張っては持ち運びが不便になるためである。
【００１３】
たとえば市販の１.５キロほどの冷凍コマセブロック(幅１５cm、長さ１７．５ｃｍ、厚さ７ｃｍ)の場合、直径１ｃｍの穴７を９箇所設けることで体積は３％、１８箇所設けることで体積は５％の減少になる。穴あけ後の冷凍コマセブロック１が従来と同重量必要なら３％〜５％ほど見かけの体積が増えることになるが、その程度なら大きな問題はないと考える。
【００１４】
穴７を複数設けることによる表面積の増大は、解凍時間を早めるため１０〜４０％程度のアップが望ましい。例えば、市販の１.５キロほどの冷凍コマセブロックの場合、直径１ｃｍの穴を９箇所設けることで表面積は１９％、１８箇所設けることで３７％の増加が計算でき、その分解凍を早めることが可能になる。
【００１５】
この解凍方法は従来と同様の方法で良い。包装袋に入れたままの冷凍コマセブロック１を大気中で自然解凍しても良いし、包装袋から冷凍コマセブロック１を取り出し、図６のプラスチックカゴ１７等に移しかえ自然解凍しても良いし、図７のバケツ１９内の海水２１に漬け解凍しても良い。また、図８のように、冷凍コマセブロック１を密封ジッパー付きの冷凍保存パック２３に海水２５とともに入れ密封した後、更にスカリ２７に入れてロープ２９などで吊るし海中に投入し、海水３１に冷凍保存パック２３が直に触れた状態で解凍しても良い。
【００１６】
「実施形態の効果」
この実施形態によれば、冷凍コマセブロックに複数設けた穴による断面積の減少や強度の低下で、従来よりも砕きやすい。
また、複数設けた穴により表面積が増大し、大気や海水に直接触れる部分が増え、従来の解凍ではきわめて解凍の遅い冷凍ブロック中央部分も、穴を設けたことによる効果で、従来技術より早い解凍が可能になる。
【００１７】
図９はオキアミの従来の冷凍コマセブロックと本発明による穴あき冷凍コマセブロックとの実験結果に於ける解凍状況比較図である。横軸は経過時間（分）、縦軸は解凍率（％）を示す。この比較図により本発明の効果が明確に現れていることを示している。すなわち、本実験は同容量のプラスチックバケツ２個に各５リットルの水道水を注ぎ、真塩を海水の塩分濃度と同量入れ、室温を２２度、水温を２２度に調整した上、釣具販売店で購入した［１．５ｋｇの冷凍ブロックオキアミＬＬサイズ］と［同ブロックに直径１ｃｍの孔を１６箇所あけたブロック］の２種類の冷凍コマセブロックを別々に入れ、図の各解凍時間ごとにバケツの底に溜まっているオキアミを取り出し計量した。解凍が出来ているオキアミは塊からはなれてバケツ底面に溜まっている。図９はその解凍状況をグラフにあらわしたものである。
【００１８】
グラフでわかるように本発明による穴あき冷凍コマセブロックのグラフ３３は、従来の冷凍コマセブロックのグラフ３５に比べ解凍が早まる様子が解る。
同様の実験を孔数を変え、９穴の冷凍ブロックオキアミコマセで行った結果を図１０のグラフにあらわした。穴数を９穴、気温が８度となった以外は、前記実験と同じ条件であった。穴数や気温の違いから解凍時間は延びているものの、穴あき冷凍コマセブロックのグラフ３７と従来の冷凍コマセブロックのグラフ３９との相違は前実験と同様に明らかである。
【００１９】
図には表してはいないがオキアミではなくアミエビの冷凍コマセブロックでも同様の実験を行い、やはり明らかなる相違がでる結果となっている。
図８のように冷凍コマセブロック１を密封ジッパー付きの冷凍保存パック２３に海水２５とともに入れ、更にスカリ２７に入れてロープ２９などで吊るし、海中での解凍も良いと前述したが、この方法を取れば解凍の進行に比例して冷える一方のバケツ内の汲み置き海水とは異なり常に暖かい海水に冷凍保存パック２３が触れ、パック内海水の水温低下が少なくなるので、解凍時間が一層早まる。従来の冷凍コマセブロックと穴あき冷凍コマセブロックの相違がより顕著に現れ、従来より早くコマセを使用した釣りが開始できる。
【００２０】
「他の実施形態」
図１の実施形態では、冷凍コマセブロックに形成される穴の断面形状は、丸であったが、他の実施形態では三角や四角でも良い。
また、図１の実施形態では、表面積を大きくするために穴を形成したが、他の実施形態では、溝を形成してもよい。例えば、図１１に示すように冷凍コマセブロック４１の溝４３は、ブロック４１の側面に上向きに複数が並行に設けられている。この場合の型容器４５は、図１２に示すように、型容器４５の内部側面に上向きの板材４７が複数本並行に設けられている。型容器は底面から上部に向かってわずかに広がり、板材４７も底面から上部に向かってわずかに厚く作られている。これにより、型容器４５からの型抜きが容易に行える。
【００２１】
更に、型容器４５の内部底面に、板材４７を格子状にクロスして配置する（図示せず）ことで、冷凍コマセブロック４１の底面に格子状の溝を形成でき、表面積を更に大きくできる。また、型容器４５に蓋（図示せず）を設け、蓋の内部下面に、板材を格子状にクロスして配置することで、冷凍コマセブロックの上面に格子状の溝を形成でき、表面積を大きくできる。
【００２２】
また、図１の実施形態では、穴を形成するのに型容器を用いたが、他の実施形態では、冷凍コマセブロックにドリルやプレス機などを使用して穴あけ加工を行い複数の孔を形成してもよい。
【図面の簡単な説明】
【００２３】
【図１】この発明の一実施形態を示す冷凍コマセブロックの斜視図である。
【図２】従来の冷凍コマセブロックの斜視図である。
【図３】従来の冷凍コマセブロックを水を汲んだバケツで解凍する方法の説明図である。
【図４】この発明の一実施形態を示す冷凍コマセブロックを製造する型容器の斜視図である。
【図５】この発明の一実施形態を示す原版冷凍コマセブロックを製造する型容器の斜視図である。
【図６】図１の冷凍コマセブロックを自然解凍する様子を示す斜視図である。
【図７】図１の冷凍コマセブロックをバケツ内の海水で解凍する様子を示す斜視図である。
【図８】図１の冷凍コマセブロックをスカリを用いて海水で解凍する様子を示す斜視図である。
【図９】この発明と従来例の一実験結果を示すグラフである。
【図１０】この発明と従来例の別の実験結果を示すグラフである。
【図１１】この発明の他の実施形態を示す冷凍コマセブロックの斜視図である。
【図１２】図１１の冷凍コマセブロックを製造する型容器の斜視図である。
【符号の説明】
【００２４】
１  冷凍コマセブロック                  ３  上表面
５  下表面                              ７  穴
９  型容器                            １１  棒
１３  原版用型容器                      １５  分割裁断線
１７  プラスチックカゴ                  １９  バケツ
２１  海水                              ２３  冷凍保存パック
２５  海水                              ２７  スカリ
２９  ロープ                            ３１  海水
３３  実験結果における実施形態の冷凍コマセブロックを解凍した時のグラフ          ３５  実験結果における従来の冷凍コマセブロックを解凍した時のグラフ
３７  他の実験結果における実施形態の冷凍コマセブロックを解凍した時のグラフ 
３９  他の実験結果における従来の冷凍コマセブロックを解凍した時のグラフ
４１  冷凍コマセブロック                ４３  溝
４５  型容器                            ４７  板材
１０１  冷凍コマセブロック              １０３  バケツ
１０５  海水
【図１】
2006333775.tif 000003
【図２】
2006333775.tif 000004
【図３】
2006333775.tif 000005
【図４】
2006333775.tif 000006
【図５】
2006333775.tif 000007
【図６】
2006333775.tif 000008
【図７】
2006333775.tif 000009
【図８】
2006333775.tif 000010
【図９】
2006333775.tif 000011
【図１０】
2006333775.tif 000012
【図１１】
2006333775.tif 000013
【図１２】
2006333775.tif 000014